(57)【要約】【課題】堰方式に代わるもので、液流量を長期に亘り安定的に実行できる流量調整枡及び汚水浄化槽を提供する。【解決手段】複数槽（又は室）に区画された汚水浄化槽の槽内上部に配され、前段の所定槽から定流速（Ｑ）に供給される排水を受け入れて、後段の所定槽へ定流速（Ｑｔ）で移送するとともに、残余分（Ｑｒ）を前段の所定槽へ返送する流量調整枡１。その流量調整枡１は、分水線（分水嶺）４ａを有する仕切壁４で隔てた第一室２及び第二室３の二つの室を有し、第一室２には所定槽へ液を移送する移送管２ａを設け、第二室３には別の所定槽へ液を返送する返送管３ａを設ける。【選択図】図１
2004275905.tif 000002
【特許請求の範囲】
【請求項１】
複数槽に区画された汚水浄化槽の槽内上部に配され、
前段の所定槽から定流速（Ｑ）に供給される排水を受け入れて、後段の所定槽へ定流速（Ｑｔ）で移送するとともに、残余分（Ｑｒ）を前段の所定槽へ返送する流量調整枡において、
その流量調整枡は、分水線を有する仕切壁で隔てられた第一室及び第二室の二つの室を有し、
前記第一室には所定槽へ液を移送する移送管を設け、
前記第二室には別の所定槽へ液を返送する返送管を設けている流量調整枡。
【請求項２】
請求項１の流量調整枡を備える汚水浄化槽。
【請求項３】
移送ポンプを用いて定流速（Ｑ）に汲み上げた排水を前記移送ポンプ出口側の水平管から放出させ、その放出液を受け入れて所定箇所へ定流速（Ｑｔ）で移送するとともに、残余分（Ｑｒ）を別の所定箇所へ返送する排水の定流速的移送・返送方法において、
受け入れには、分水線を有する仕切壁で隔てられた第一室及び第二室の二つの室を備え、前記第一室には所定箇所へ液を移送する移送管が設けられ、前記第二室には別の所定箇所へ液を返送する返送管が設けられている流量調整枡を用いるとともに、
流速（Ｑｔ）の調整は、前記分水線と水平管の中心線（Ｃ）とを略並行させつつ、前記分水線と前記水平管の中心線（Ｃ）との平面視における距離を調節することで行なう、排水の定流速的移送・返送方法。
【発明の詳細な説明】
【０００１】
【発明の属する技術分野】
本発明は、屎尿、その他生活排水の合併汚水（以下、汚水ともいう）を物理的及び生物化学的に浄化処理する小規模の汚水浄化槽に好適に用いる流量調整枡、及びそれを組み込んだ汚水浄化槽、更には、排水の定流速的移送・返送方法に関するものである。
【０００２】
【従来の技術】
家庭等から排出される家庭汚水（トイレ排水、洗濯排水、風呂排水、台所排水等）は、非定常で且つ短時間に集中的に排出されることが多い（すなわち、１日当りでみると流量変動が極めて大きい）。これら家庭汚水を受けて浄化処理する汚水浄化槽においては、汚水の短時間の多量流入を緩和するため及び処理性能を安定に発揮させるため、汚水浄化槽の嫌気処理部に流量調整機能を設けることが多い。
【０００３】
図５に、流量調整機能を組み込んだ従来例の汚水浄化槽（概略断面図）を示した。汚水浄化槽５０には、上流側から順に嫌気濾床槽第１室５１、嫌気濾床槽第２室５２、ポンプ槽５３、生物濾過槽５４、処理水槽５５及び消毒槽５６を配置している。嫌気濾床槽第１室５１、同第２室５２及びポンプ槽５３の上部には、汚水の多量流入を緩和する液量変動吸収部（流量調整部）５７があり、各々の室（又は槽）は流量調整部５７の最低水位（Ｌ．Ｗ．Ｌ）以上の水位で連通している。また、生物濾過槽５４と処理水槽５５とは、槽底部で連通している。そして、ポンプ槽５３には、このポンプ槽５３から生物濾過槽５４へ汚水を移送するエアリフトポンプ５８が設けられ、ポンプ槽５３と生物濾過槽５４との隔壁（仕切壁）には、生物濾過槽５４の水位面の位置にエアリフトポンプ５８からの余剰液を戻すための堰（戻し堰）５９が設けられ、処理水槽５５から消毒槽５６へ越流する隔壁には越流堰（調整堰）６０が設けられている。
【０００４】
この汚水浄化槽における汚水の流量調整は、次のようにして行われる。まず、エアリフトポンプ５８で嫌気濾床槽第２室５２からの汚水を揚水し生物濾過槽５４上方もしくは上部へ移送する。このとき、越流堰６０の堰高さを変えることで、汚水の目標量が生物濾過槽５４へ供給・処理され、次の処理水槽５５へ至るように調整する。エアリフトポンプ５８で移送した汚水のうち、越流堰６０から（処理水の）所定量を越流させる一方で、戻し堰５９から過剰分をポンプ槽５３へ戻す。このとき、流量調整部５７では、流入する汚水量（速度）が越流堰（調整堰）６０から溢れ出る液量（速度）よりも多いか少ないかによって、水位は最低水位（Ｌ．Ｗ．Ｌ）と最高水位（Ｈ．Ｗ．Ｌ）との間で変動する（特許文献１参照）。
【０００５】
【特許文献１】
特開２００１―９６２８５号公報
【０００６】
【発明が解決しようとする課題】
しかし、ここで述べた流量調整のための越流堰（調整堰）及び戻し堰は、運転を続けると徐々に汚泥が付着・堆積し、これによって堰高さが変わり、越流させるべき液流量も変化しやすい。すなわち、流量調整機能が不安定となる。本発明は、堰方式に代わるもので、液流量を長期に亘り安定的に実行できる流量調整枡を提供すること、及びこの流量調整枡を組み込んだ汚水浄化槽を提供することであり、更には汚水浄化槽における排水の定流速的移送・返送方法を提供することを課題とする。
【０００７】
【課題を解決するための手段】
本発明者らは、上記流量調整枡に代わる流量調整枡を種々検討した結果、液分配部位に汚泥等が付着・堆積しても、定流速的な液分配が行える流量調整枡、すなわち、分水線（分水嶺）式の流量調整枡を完成するに至った。
【０００８】
すなわち、本発明は、複数槽（又は室）に区画された汚水浄化槽２０の槽内上部に配される、前段の所定槽から定流速（Ｑ）に供給される液（排水）を受け入れて、後段の所定槽へ定流速（Ｑｔ）で移送するとともに、残余分（Ｑｒ）を前段の所定槽へ返送する流量調整枡１であって、
その流量調整枡１は、分水線（分水嶺）４ａを有する仕切壁４で隔てられた第一室２及び第二室３の二つの室を有し、前記第一室２には所定槽へ液を移送する移送管（第一室側出口）２ａを設け、前記第二室３には別の所定槽へ液を返送する返送管（第二室側出口）３ａを設けている流量調整枡１、である。
【０００９】
本発明は、また、この流量調整枡１を組み込んだ汚水浄化槽にも関する。
【００１０】
本発明は、また、排水の定流速的移送・返送方法にも関する。すなわち、移送ポンプ（エアリフトポンプや水中ポンプ）５を用いて定流速（Ｑ）に汲み上げた排水を移送ポンプ５出口側の（水平管６の）開口６ａから放出させ、その放出液を受け入れて所定箇所へ定流速（Ｑｔ）で移送するとともに、残余分（Ｑｒ）を別の所定箇所へ返送する排水の定流速的移送・返送方法において、
受け入れには、分水線（分水嶺）４ａを有する仕切壁４で隔てられた第一室２及び第二室３の二つの室を備え、第一室２には所定箇所へ液を移送する移送管（第一室側出口）２ａが設けられ、第二室２には別の所定箇所へ液を返送する返送管（第二室側出口）３ａが設けられている流量調整枡１を用いるとともに、
流速（Ｑｔ）の調整は、分水線４ａと水平管６の中心線（Ｃ）とを略並行させつつ、分水線４ａと水平管６の中心線（Ｃ）との平面視における距離を調節することで行なうことを特徴とする排水の定流速的移送・返送方法、である。
【００１１】
【作用】
本発明の流量調整枡１では、所定量（Ｑｔ）を所定箇所へ移送するとともに、残余量（Ｑｒ）を別の所定箇所へ返送するために、移送ポンプ（エアリフトポンプ）５で汲み上げた液を水平管６から放出させて受ける調整枡側に、分水線（分水嶺）４ａを設け、その分水線（分水嶺）４ａに向けて滝のように落下させる。このとき、分水線（分水嶺）４ａの位置によって、所定箇所への移送量（Ｑｔ）と、返送量（残余量：Ｑｒ）、すなわち、移送量（Ｑｔ）と返送量（残余量：Ｑｒ）との分配比が決まる。
また、分水線４ａに汚泥等が付着・堆積したとしても、エアリフトポンプで汲み上げた液は流量調整枡１の上方から落下するため、分水線４ａの分配機能に悪影響を与えない。そのため、移送量（Ｑｔ）と返送量（Ｑｒ）とが安定する。
【００１２】
【発明の実施の形態】
以下、図面を参照して、本発明を更に具体的に説明する。
図１は、エアリフトポンプ部分を含む本発明の流量調整枡の一例である。図示したように、流量調整枡１の外観は略四角箱形で、エアリフトポンプ５の出口側の水平管６の開口６ａから落下する液を２方向に分配する分水線４ａを有する仕切壁４を隔てて、第一室２及び第二室３の二つの室を有している。そして、第一室２には所定箇所へ移送するための移送管（第一室側出口）２ａを設け、第二室３には余分の液（余剰液）を別の所定箇所へ戻す返送管（第二室側出口）３ａを設けている。
【００１３】
なお、分水線４ａの断面形状は図２（ｃ１）に示すようなナイフエッジ状であっても、同（ｃ２）に示すように略平坦状で鍔が張り出す形状であってもよく、同（ｃ３）に示すように山状で鍔が張り出す形状であってもよく、同（ｃ４）に示すように円弧状に張り出す形状であってもよい。また、図示しないが平坦であってもよい。
【００１４】
また、図２（ｃ２）や（ｃ３）のように、分水線４ａが鍔状に張り出す平板形状の場合の内角は、開口６ａから落下する液を受けて第一室及び第二室の２方向に分配できる角度であればよく、通常は、１０〜１８０°の間の角度である。
【００１５】
また、流量調整枡１の外観は、図１では略四角箱形としたが、略楕円形箱形等の形状とすることもできる。ただし、分水線４ａを水平方向に移動させるためには、好ましくは略四角箱形である。
【００１６】
排水を流量調整枡１へ汲み上げる移送ポンプは、図１に示すような、液吸込み口１２を有する揚水管１３と、この揚水管１３の上部付近で接続され他端に開口６ａを有する水平管（出口管）６と、揚水管１３の下部付近で繋がった空気送入管７とからなるエアリフトポンプが好ましい。
【００１７】
揚水管１３の上部には、水平管６が接続され、水平管６と揚水管１３との接合部位をＴ字管１１にして、このＴ字管１１と揚水管１３とをネジ込みの接続にしている。これは、水平管６の開口６ａの位置を移動可能にするためである。また、水平管６は、開口６ａから液が自然落下（流下）するように略水平方向に配置することが好ましく、そのときの開口６ａは図１のような略垂直方向に開口してもよく、エルボ管のように下方向に向けて水平方向に開口してもよい。また、雨樋のように開放してもよい。水平管６の断面形状や開口６ａの形状は、通常は、円や四角形状が好ましい。
なお、エアリフトポンプに代えて水中ポンプ（電動ポンプ）等の移送ポンプを用いることもできるが、この場合には、水中ポンプの吸込み口を液吸込み口１２とする。
【００１８】
分水線４ａを固定しつつ開口６ａの中心を移動させて、所定量（Ｑｔ）の排水を所定箇所（所定の槽又は室）へ移送させる液量調整は、次のように行う。開口６ａの中心（又は水平管６の中心線Ｃ）を分水線４ａよりも第一室２側（図１では下側）へ移動させると、第二室３側よりも第一室２側へ多くの液量を分水でき、逆に、開口６ａの中心を分水線４ａよりも第二室３側（図１では上側）へ移動させると、第一室２側よりも第二室３側へ多くの液量を分水できる。すなわち、平面視したときの、水平管６の開口６ａの中心（又は水平管６の中心線Ｃ）と分水線４ａの相対位置を調整することによって、所定箇所（所定の槽又は室）へ所定量の液を移送できる。
【００１９】
また、水平管６及びその開口６ａを固定し、分水線４ａを移動して、所定量の液を所定箇所へ移送させるときの調整は、次のようにして行う。分水線４ａの上部両側（図１（ａ）、（ｂ）では左右）には、懸垂部１４が張り出すように設けられており、流量調整枡１にはこの懸垂部１４が水平方向に並行移動できるように穴が設けてある。この懸垂部１４を適当な位置へ移動させ、固定具１５によって流量調整枡１に設けた穴に固定する。分水線４ａを、水平管６の開口６ａの中心（中心線Ｃ）よりも第二室３側に移動すると、第一室２側に多くの液量を分水できる。また、分水線４ａを、水平管６の開口６ａの中心（中心線Ｃ）よりも第一室２側へ移動させると、反対に第二室３側に多くの液量を分水できる。すなわち、分水線４ａを水平方向に並行移動させることによって、所定箇所へ所定量の液を移送できる。なお、分水線を動かし固定する手段は、これらに限定されるものではない。
【００２０】
前記したとおり、移送液量の調整は、水平管６の開口６ａから落下する液を、流量調整枡１に備える分水線４ａによって二方向に分けるだけの簡単なものである。そのため、例え、分水線４ａに汚泥が付着・堆積しても（分水線の高さが変わっても）影響を受けず、分水の機能及び流量調整の機能は安定して維持できる。なお、分水線４ａに汚泥が付着・堆積した場合は、浄化槽の点検時に剥がし取ればよい。
【００２１】
図３は、上記流量調整枡を組み込んだ汚水浄化槽の一例で、嫌気処理槽の液を好気処理槽へ移送させる部位に流量調整枡を組み込んだものである。汚水浄化槽２０内には、上流から順に、第一嫌気処理槽２１、第二嫌気処理槽２２、好気処理槽２３、処理水槽（又は沈殿槽）２４、及び消毒槽２５が配置されている。第一嫌気処理槽２１及び第二嫌気処理槽２２のそれぞれの上部には、液水準がＨ．Ｗ．Ｌ及びＬ．Ｗ．Ｌの間で変動可能な流量調整部２６を設けている。第一嫌気処理槽２１には、流入口となる汚水流入管２７と第二嫌気処理槽２２へ液を移流させる移流管２８とが備えられ、第二嫌気処理槽２２には、そこを通過した液を好気処理槽２３へ移流させる移流管２９が備えられている。また、第一嫌気処理槽２１及び第二嫌気処理槽２２には、濾床が設けられている。なお、これら濾床は第一嫌気処理槽２１又は第二嫌気処理槽２２だけに設けてもよく、取り除いてもよい。
【００２２】
第二嫌気処理槽２２中の移流管２９内には、ブロワ３０に繋がったエアリフトポンプを配置し、流量調整枡１を第二嫌気処理槽２２のＨ．Ｗ．Ｌよりも上方、かつ好気処理槽２３の水位よりも上方の位置に配置している。エアリフトポンプの揚水管１３はＵ字管形状で、液吸込み口１２をＬ．Ｗ．Ｌの位置に設けている。なお、エアリフトポンプに代えて水中ポンプを用いる場合も、その液吸込み口１２はＬ．Ｗ．Ｌの位置に設ける。第二嫌気処理槽２２通過液を好気処理槽２３へ定量移送するために、流量調整枡１では前記したとおり分水線４ａで分水し、所定量を第一室２側へ移流させ、余剰液を第二室３から移流管２９内へ戻す。この際、余剰液を移流管２９内へ戻す代わりに、直接、第一嫌気処理槽２１又は第二嫌気処理槽２２へ戻すこともできる。
【００２３】
第一嫌気処理槽２１及び第二嫌気処理槽２２の水位は、汚水の流入量が第一室２へ移送する量よりも多いか少ないかによってＨ．Ｗ．ＬとＬ．Ｗ．Ｌとの間を変動する。すなわち、流入汚水の変動は流量調整部２６で緩和され、流量調整枡１によって液を一定の流速で後段の好気処理槽２３へ供給することができる。
【００２４】
好気処理槽２３では、ブロワ３０からの空気が底部に配した散気管３１から噴出させる。また、好気処理槽２３には微生物付着材（担体、微生物担体、接触材、接触濾材ともいう）を充填した床が形成されており、ここでは、曝気を行い、（微生物が付着している）微生物付着材と液とが十分に混ざるようにし、あるいは、微生物付着材と液とが積極的に接触するようにし、これによって有機物の酸化分解やアンモニアの硝化を行わせる。
なお、微生物付着材を充填した床は、噴出する空気によって微生物付着材が液と共に流動する流動床であっても、液のみが動く固定床であっても、あるいは流動床と固定床の両方を組み込んだものであってもよい。
また、流動床と固定床との両方を組み込む場合は、流動床を上側に、固定床を下側にするよう上下方向に配置させたり、流動床を前段に、固定床を後段にして横方向に並置させたりすることができる。
【００２５】
用いる微生物付着材は、その形状としては、板状、網板状、ヘチマ状、多孔質状、筒状、棒状、骨格球状、紐状、更には粒状、不定形な塊状、立方体状、繊維塊状等の種々の形状に加工したものを用いることができる。流動床にはこれら微生物付着材のうち、比較的小さく流動しやすい形状のものが好ましく用いられ、また、固定床には比較的大きく固定しやすい形状のものが好ましく用いられる。微生物付着材の材質としては、塩化ビニリデン、ポリビニルフォルマール、ポリウレタン、メラミン樹脂等の合成樹脂製加工物、セラミックス、珪砂等の無機製加工物、アンスラサイト等の化石加工物、活性炭等で、比重が約１又は１以上のもの、また、ポリエチレン、ポリプロピレン等のポリオレフィン系樹脂、ポリスチレン等で、比重が約１又は１以下のもののいずれも用いることができる。
【００２６】
好気処理槽２３と次槽の処理水槽２４との境界部の下部（底部）は互いに連通させ、好気処理槽２３から処理水槽２４へ移流する液を、処理水槽２４の上部一画に設けている消毒槽２５に越流させる。処理水槽２１には、液中のＳＳを沈殿分離させる機能もある。この際、沈殿する汚泥（ＳＳ）や硝化液を嫌気処理部へ返送するために、処理水槽２４には移送ポンプ（エアリフトポンプ、水中ポンプ）を備え、その吸込み口を好気処理槽２３寄りの処理水槽２４の下部に設け、吸い込んだ液（汚泥を含む）を第一嫌気処理槽２１又は第二嫌気処理槽２２へ戻すことが好ましい（図示省略）。
【００２７】
消毒槽２５では、処理水槽２４からの移流液を薬筒３２と接触させて消毒又は殺菌する。また、汚水浄化槽の各槽（各室）の上部には点検や清掃等の維持管理が容易に行えるようにマンホールを設けていて、通常、そこにマンホールカバー３３を取り付けている。
【００２８】
図４は、本発明の汚水浄化槽の他の例で、処理水槽の液を消毒槽へ移送させる部位に流量調整枡を組み込んだものである。汚水浄化槽は、上流から順に、第一嫌気処理槽２１、第二嫌気処理槽２２、好気処理槽２３、処理水槽（又は沈殿槽）２４、及び消毒槽２５が配置されている。この場合は、第一嫌気処理槽２１、第二嫌気処理槽２２、好気処理槽２３及び処理水槽（又は沈殿槽）２４の上部を流量調整部２６にし、液水準がＨ．Ｗ．Ｌ及びＬ．Ｗ．Ｌの間で変動可能にしている。
【００２９】
各槽の処理機能、構成、及び構造等は、図３と共通するため、詳細の説明を省略し流量調整枡に関して説明する。処理水槽（又は沈殿槽）２４には、ブロワ３０に繋がったエアリフトポンプを配置し、流量調整枡１をＨ．Ｗ．Ｌよりも上方の位置に配置している。エアリフトポンプの揚水管１３はＵ字管形状で、液吸込み口１２をＬ．Ｗ．Ｌの位置に設けている。処理水槽２４の流出液を消毒槽２５へ定量移送するために、流量調整枡１では、前記したとおり分水線４ａで分水した所定量を第一室２側に移流させ、余剰液を第二室３から処理水槽２４内へ戻す。この際、余剰液を処理水槽２４内へ戻す代わりに、直接、第一嫌気処理槽２１、第二嫌気処理槽２２又は好気処理槽２３へ戻すこともできる。
【００３０】
処理水槽２４で沈殿する汚泥（ＳＳ）を嫌気処理部へ返送するために、処理水槽２４には移送ポンプ（エアリフトポンプ、水中ポンプ）を備え、その吸込み口を好気処理槽２３寄りの処理水槽２４の下部に設け、吸い込んだ液（汚泥を含む）を第一嫌気処理槽２１又は第二嫌気処理槽２２へ戻すことが好ましい（図示省略）。
【００３１】
次に、図３の汚水浄化槽における汚水の処理を説明する。汚水（原水）は汚水流入口２７から流入バッフル３４を経て第一嫌気処理槽２１に入り、固形物の分離貯留や嫌気的生物処理が行われ、嫌気化して発生したスカムの貯留が槽上部で行われる。第一嫌気処理槽２１からの移流液は、移流管２８から第二嫌気処理槽２２に入り、更なる固形物の分離貯留や嫌気的生物処理が行われる。第二嫌気処理槽２２からの移流液は、移流管２９に入り、エアリフトポンプで揚水される。この際、移流液をＬ．Ｗ．Ｌの液吸込み口１２より揚水させ、エアリフトポンプの上部から水平管６を経て開口６ａから流量調整枡１へ落下させる。流量調整枡１では分水線４ａによって分水し、定量（ほぼ一定量）（Ｑｔ）を第一室２から好気処理槽２３に移流させる。余剰液（液）（Ｑｒ）は第二室３から元の部位の移流管２９へ戻す。このとき、流入する汚水量が第一室２から流出する液の移送量よりも多い場合には、第一嫌気処理槽２１及び第二嫌気処理槽２２の水位はＬ．Ｗ．ＬからＨ．Ｗ．Ｌへと上昇するが、流量調整部２６の容量はＨ．Ｗ．Ｌを越えないように設計されているので、通常、上記水位はＨ．Ｗ．Ｌを越えて上昇しない。
【００３２】
好気処理槽２３では、第二嫌気処理槽２２からの移流液中の有機物を好気的に生物分解させる。この際、ほぼ一定量の移流液が負荷されるので安定した処理が行われる。さらには、ほぼ一定量の移流液の移送が長期に渡って維持できるので、安定した処理が継続される。好気処理槽２３からの移流液は、槽底部から処理水槽２４に入り、この際、移流液にＳＳが含まれる場合には沈殿分離もなされる。処理水槽２４を経た移流液は、消毒槽２５に入り消毒された後、処理水として放流口３５から放流される。
【００３３】
次に、図４の汚水浄化槽における汚水の処理を説明する。第一嫌気処理槽２１、第二嫌気処理槽２２及び好気処理槽２３の処理は図３と同様なので省略する。上流側の槽から順に処理された移流液は処理水槽２４に入り、エアリフトポンプで揚水される。この際、移流液をＬ．Ｗ．Ｌの液吸込み口１２より揚水させ、エアリフトポンプの上部から水平管６を経て開口６ａから流量調整枡１へ落下させる。流量調整枡１では分水線４ａによって分水し、定量（ほぼ一定量）（Ｑｔ）を消毒槽２５に移送させる。余剰液（Ｑｒ）は第二室３から元の部位の処理水槽２４へ戻す。このとき、流入する汚水量が第一室２から流出する液の移送量よりも多い場合には、第一嫌気処理槽２１、第二嫌気処理槽２２、好気処理槽２３及び処理水槽２４の水位はＬ．Ｗ．ＬからＨ．Ｗ．Ｌへと上昇するが、流量調整部２６の容量はＨ．Ｗ．Ｌを越えないように設計されているので、通常、上記水位はＨ．Ｗ．Ｌを越えて上昇しない。
【００３４】
【発明の効果】
本発明の流量調整枡は、分水線（分水嶺）で隔てられた第一室及び第二室の二つの室と、第一室には設けた移送管と、第二室には設けた返送管との簡単な構造である。また、分水線に汚泥等が付着・堆積したとしても、エアリフトポンプで汲み上げた液は流量調整枡の上方（すなわち、付着・堆積物の上方から）から落下するので、分水線の分配機能は悪影響を受けない。そのため、移送量（Ｑｔ）と返送量（Ｑｒ）とが安定する。
本発明の汚水浄化槽は、上記流量調整枡を利用しているので、移送量（Ｑｔ）と返送量（Ｑｒ）とが長期に渡って安定するほか、嫌気処理槽、好気処理槽等における短絡流や急速流が抑制され、汚水は安定して浄化処理される。
本発明の定流速的移送・返送方法によれば、分水線と水平管の中心線（Ｃ）との平面視における距離を調節するだけで、移送流速の調整を簡単に行える。
【図面の簡単な説明】
【図１】エアリフトポンプ部分を含む本発明の流量調整枡の一例を示し、（ａ）はその概略平面図、（ｂ）は（ａ）のＡ−Ａ矢視の概略断面図、（ｃ１）は（ａ）のＢ−Ｂ矢視の概略断面図。
【図２】（ｃ１）は図１（ａ）のＢ−Ｂ矢視の概略断面図、（ｃ２）〜（ｃ４）は分水線が異なる別の３例の流量調整枡を示す断面図。
【図３】本発明の汚水浄化槽の一例を示し、（ａ）は概略平面図、（ｂ）は（ａ）のＣ−Ｃ面における概略断面図。
【図４】本発明の汚水浄化槽の他例を示し、（ａ）は概略平面図、（ｂ）は（ａ）のＤ−Ｄ面における概略断面図。
【図５】流量調整機能を組み込んだ従来例の汚水浄化槽の概略断面図。
【符号の説明】
１：流量調整枡    ２：第一室
２ａ：移送管（第一室側出口）
３：第二室      ３ａ：返送管（第二室側出口）
４：分水線（分水嶺）を有する仕切壁
４ａ：分水線（分水嶺）
５：移送ポンプ（エアリフトポンプ）
６：水平管（出口管）
６ａ：開口    ７：空気送入管    １１：Ｔ字管
１２：液吸込み口    １３：揚水管
１４：懸垂部    １５：固定具
２０：汚水浄化槽    ２１：第一嫌気処理槽
２２：第二嫌気処理槽    ２３：好気処理槽
２４：処理水槽（沈殿槽）    ２５：消毒槽
２６：流量調整部    ２７：汚水流入管
２８：移流管    ２９：移流管
３０：ブロワ    ３１：散気管
３２：薬筒    ３３：マンホールカバー
３４：流入バッフル    ３５：放流口
５０：汚水浄化槽    ５１：嫌気濾床槽第１室
５２：嫌気濾床槽第２室
５３：ポンプ槽    ５４：生物濾過槽    ５５：処理水槽
５６：消毒槽    ５７：流量調整部
５８：エアリフトポンプ
５９：戻し堰    ６０：越流堰（調整堰）
【図１】
2004275905.tif 000003
【図２】
2004275905.tif 000004
【図３】
2004275905.tif 000005
【図４】
2004275905.tif 000006
【図５】
2004275905.tif 000007